(57)【特許請求の範囲】
【請求項１】
単軸ヒンジ構造のヒンジで折りたたみ開閉自在に連結してある戸パネル用の指挟み防止装置であって、
指挟み防止装置は、隣接する各戸パネル（Ｐ１・Ｐ２）の側端に固定されるガイド体（１１）と、戸パネル（Ｐ１・Ｐ２）の隣接隙間（Ｓ）を外面から覆う保護カバー（１２）と、両ガイド体（１１）に対応して保護カバー（１２）に固定されるガイド板（１３）と、両ガイド体（１１）に対応してガイド板（１３）に組み付けられる浮動軸体（１４）とを備えており、
ガイド体（１１）およびガイド板（１３）には、浮動軸体（１４）を相対移動可能に案内する浮動溝（２８）および逃げ溝（３９）が形成されており、
戸パネル（Ｐ１・Ｐ２）が開閉するときの、ガイド体（１１）およびガイド板（１３）に対する浮動軸体（１４）の相対的な位置変化を浮動溝（２８）と逃げ溝（３９）とが共同して吸収することを特徴とする指挟み防止装置。
【請求項２】
ヒンジを構成するヒンジボス（２６）が、隣接するガイド体（１１）のそれぞれに設けられており、
ヒンジボス（２６）どうしをヒンジ軸（３２）で連結して、ガイド体（１１）がヒンジを兼ねている請求項１に記載の指挟み防止装置。
【請求項３】
戸パネル（Ｐ１・Ｐ２）を閉止した状態において、ガイド体（１１）どうしがヒンジ中心を通る垂直平面（Ｖ）を間にして隣接しており、
前記垂直平面（Ｖ）に臨むガイド体（１１）の隣接辺部の前後いずれか一方の隅部にヒンジボス（２６）が設けられ、隣接辺部の他方の隅部に逃げ面（２７）が形成されており、
前記浮動溝（２８）が、ガイド体（１１）の逃げ面（２７）に沿って部分円弧状に形成してある請求項２に記載の指挟み防止装置。
【請求項４】
前記逃げ溝（３９）が、ガイド板（１３）の板面に前記浮動溝（２８）と常に交差する状態でハ字状に形成してある請求項２または３に記載の指挟み防止装置。
【請求項５】
戸パネル（Ｐ１・Ｐ２）を閉止した状態における両ガイド体（１１）の外面が、外突湾曲状に形成した保護カバー（１２）で隙間（Ｅ）を介して覆われており、
保護カバー（１２）の両側端の内面に、ガイド体（１１）の周面に外接して前記隙間（Ｅ）を塞ぐシール体（３６）が設けてある請求項２から４のいずれかひとつに記載の指挟み防止装置。
【請求項６】
隣接する各戸パネル（Ｐ１・Ｐ２）の側端に化粧枠（１０）が固定されて、各化粧枠（１０）の上下にガイド体（１１）が配置されており、
ガイド体（１１）を戸パネル（Ｐ１・Ｐ２）および化粧枠（１０）に締結して、ガイド体（１１）が戸パネル（Ｐ１・Ｐ２）と一体化してある請求項２から５のいずれかひとつに記載の指挟み防止装置。
【請求項７】
ヒンジ軸（３２）で連結されるヒンジボス（２６）を備えた一対のガイド体（１１）が、同じ構造のガイド体（１１）を上下に反転した対称構造の部品で構成してある請求項２から６のいずれかひとつに記載の指挟み防止装置。
【請求項８】
ヒンジで折りたたみ開閉自在に連結してある戸パネル用の指挟み防止装置であって、
指挟み防止装置は、隣接する各戸パネル（Ｐ１・Ｐ２）に固定される浮動ベース（６０）と、戸パネル（Ｐ１・Ｐ２）の隣接隙間（Ｓ）を外面から覆う保護カバー（６１）と、両ベース（６０）に対応して保護カバー（６１）に固定されるガイド板（６２）と、両浮動ベース（６０）とガイド板（６２）とを連結する浮動軸体（６３）とを備えており、
戸パネル（Ｐ１・Ｐ２）が全閉位置と全開位置との間で折りたたみ開閉されるとき、浮動軸体（６３）を相対移動可能に案内する浮動穴（７３）がガイド板（６２）に形成されており、
戸パネル（Ｐ１・Ｐ２）が開閉するときの、ガイド板（６２）に対する浮動軸体（６３）の位置変化を浮動穴（７３）で吸収し、
浮動穴（７３）が、主としてヒンジ軸（５８）と浮動軸体（６３）との左右方向の相対的な位置変化を吸収する直線状の第１穴（７５）と、主としてヒンジ軸（５８）と浮動軸体（６３）の前後および斜め方向の相対的な位置変化を吸収する台形状の第２穴（７６）とで構成してあることを特徴とする指挟み防止装置。
【請求項９】
保護カバー（６１）の内面に保護カバー（６１）の遊動を規制する遊動規制体（７１）が設けてある請求項８に記載の指挟み防止装置。  
【発明の詳細な説明】
【技術分野】
【０００１】
本発明は、例えば折戸のヒンジ部分での指挟みを防ぐ指挟み防止装置に関する。
【背景技術】
【０００２】
この種の指挟み防止装置として、ヒンジで連結された戸パネルの隣接隙間をカバーで覆うものがある（特許文献１）。そこでは、戸パネルの隣接隙間を外面から覆うカバーと、各戸パネルに固定されて、カバーの上下端を支持する上下一対のブラケットなどで指挟み防止装置を構成している。ブラケットには、カバーの上下端に形成したスライド溝を案内するガイドピンが固定してある。この指挟み防止装置によれば、戸パネルが開閉されるときの隣接隙間をカバーで常に覆うことができる。同様の指挟み防止装置は特許文献２にも見ることができ、そこではカバーを戸パネルに設けた揺動可能な連結部材で支持している。これらの指挟み防止装置はヒンジ構造とは別に設けてあるので、既存の折戸にも問題なく適用することができる。
【０００３】
別の指挟み防止装置として、指挟み防止機能を備えたヒンジが提案されている（特許文献３）。そこでは、戸パネルの側端面に固定される縦長のベース枠と、隣接する戸パネルの上下端に固定される４個の固定金具と、上下の固定金具の間に配置される縦長のヒンジ本体と、ヒンジ本体と固定金具を連結するヒンジピンとで、ヒンジを２軸ヒンジ状に構成している。このような２軸ヒンジ構造のヒンジによれば、折りたたみ開閉される戸パネルの隣接隙間をヒンジ本体で常に塞ぐことができるので、指挟みをさらに確実に防止できる。ヒンジ本体は、戸パネルの隣接隙間を塞ぐ閉止体を兼ねて断面が眼鏡形に形成してあって、優弧状に丸められた両端の連結部分がベース枠に設けた凹部に収容してある。したがって、ヒンジ本体と各ベース枠の連結部分から光が漏れることもない。
【０００４】
特許文献３に係る２軸ヒンジ構造のヒンジでは、ヒンジ中心が２個所にあるため、折りたたみ開閉時に戸パネルがぎくしゃくするのを避けられず、隣接する戸パネルを同じ角度で開閉できない。こうした２軸ヒンジ構造のヒンジの欠点を改良した、確動型の２軸ヒンジ構造のヒンジが提案されている（特許文献４）。そこでは、隣接するヒンジ金具のそれぞれにギヤを固定して、折りたたみ開閉時に各戸パネルがギヤを介して等量ずつ開閉できるようにしている。
【先行技術文献】
【特許文献】
【０００５】
【特許文献１】特開平０８−０１３９３３号公報（段落番号００２３、図２）
【特許文献２】特開２００３−００３７６２号公報（段落番号００２８、図１）
【特許文献３】特開平１０−３３１５１４号公報（段落番号００１９、図１）
【特許文献４】特開２００８−２５５７７３号公報（段落番号００４３、図７）
【発明の概要】
【発明が解決しようとする課題】
【０００６】
特許文献１・２の指挟み防止装置は、全体構造が簡単であるため安価に提供できる。また、指挟み防止装置はヒンジとは独立した状態で戸パネルに組み付けるので、既存の折戸にも追加して装備できる利点がある。しかし、特許文献１の指挟み防止装置では、カバーの上下を２個のガイドピンでガイドするので、戸パネルを開閉するときのカバーの動きがぎくしゃくする。また、折戸用のヒンジの多くは、隣接する戸パネルを半折りした状態に保持できる構造になっており、この状態においてカバーがスライド溝の範囲内で自由にスライドする点に問題がある。特許文献２の指挟み防止装置においても同様の問題点があり、加えて隣接する戸パネルを半折りした状態において、カバーが戸パネルの隣接隙間から大きく離れてしまい、隣接隙間をカバーで塞ぐことができない不利もある。
【０００７】
特許文献３の指挟み防止装置は、隣接する戸パネルの側端面に固定したベース枠と、断面が眼鏡形のヒンジ本体を２組のヒンジピンで連結するので、戸パネルの隣接隙間をヒンジ本体で常に塞ぐことができる。さらに、特許文献４の指挟み防止装置によれば、ヒンジを確動型の２軸ヒンジ構造として、折りたたみ開閉時に戸パネルがぎくしゃくするのを解消して、戸パネルを円滑に等量ずつ折りたたみ開閉できる。半折りした状態における各戸パネルの傾斜角度も同じにできる。
【０００８】
しかし、特許文献３・４の指挟み防止装置は、いずれも指挟み防止機能を備えた特殊な構造の２軸ヒンジとして構成しており、さらに、各戸パネルの側端面にベース枠を固定する必要があるので、ヒンジの全体構造が複雑になり、全体コストが高く付く。また、隣接する戸パネルを合計４個のヒンジピンで連結するので、上下のヒンジピンの中心を正確に一致させる必要があり、施工に多くの手間が掛かる。
【０００９】
本発明の目的は、単軸ヒンジ構造のヒンジで折りたたみ開閉自在に連結してある戸パネルにおいて、戸パネルの隣接隙間を保護カバーで常に覆って指挟みを防止でき、さらに隣接隙間から光が漏れるのを防止できる指挟み防止装置を提供することにある。
本発明の目的は、ヒンジ構造を含む指挟み防止装置の構造を簡素化して、動作の信頼性と、製造に要するコストの削減とを同時に実現できる指挟み防止装置を提供することにある。
本発明の目的は、構造が簡単で製造コストを削減でき、とくに、既存の折りたたみ開閉自在な戸パネルに適用するのに好適な指挟み防止装置を提供することにある。
【課題を解決するための手段】
【００１０】
本発明の指挟み防止装置は、単軸ヒンジ構造のヒンジで折りたたみ開閉自在に連結してある戸パネルに適用する。指挟み防止装置は、隣接する各戸パネルＰ１・Ｐ２の側端に固定されるガイド体１１と、戸パネルＰ１・Ｐ２の隣接隙間Ｓを外面から覆う保護カバー１２と、両ガイド体１１に対応して保護カバー１２に固定されるガイド板１３と、両ガイド体１１に対応してガイド板１３に組み付けられる浮動軸体１４とを備えている。ガイド体１１およびガイド板１３には、浮動軸体１４を相対移動可能に案内する浮動溝２８および逃げ溝３９が形成してある。図８に示すように、戸パネルＰ１・Ｐ２が開閉するときの、ガイド体１１およびガイド板１３に対する浮動軸体１４の相対的な位置変化を、浮動溝２８と逃げ溝３９とが共同して吸収する。
【００１１】
ヒンジを構成するヒンジボス２６を、隣接するガイド体１１のそれぞれに設ける（図４参照）。ヒンジボス２６どうしをヒンジ軸３２で連結して、ガイド体１１がヒンジを兼ねるようにする。
【００１２】
戸パネルＰ１・Ｐ２を閉止した状態において、ガイド体１１どうしはヒンジ中心を通る垂直平面Ｖを間にして隣接している。垂直平面Ｖに臨むガイド体１１の隣接辺部の前後いずれか一方の隅部にヒンジボス２６を設け、隣接辺部の他方の隅部に逃げ面２７を形成する。浮動溝２８は、ガイド体１１の逃げ面２７に沿って部分円弧状に形成する。
【００１３】
逃げ溝３９は、ガイド板１３の板面に浮動溝２８と常に交差する状態でハ字状に形成する（図８参照）。
【００１４】
戸パネルＰ１・Ｐ２を閉止した状態における両ガイド体１１の外面を、外突湾曲状に形成した保護カバー１２で隙間Ｅを介して覆う（図３参照）。保護カバー１２の両側端の内面に、ガイド体１１の周面に外接して隙間Ｅを塞ぐシール体３６を設ける。
【００１５】
隣接する各戸パネルＰ１・Ｐ２の側端に化粧枠１０を固定して、各化粧枠１０の上下にガイド体１１を配置する（図４参照）。ガイド体１１を戸パネルＰ１・Ｐ２および化粧枠１０に締結して、ガイド体１１が戸パネルＰ１・Ｐ２と一体化してある。
【００１６】
ヒンジ軸３２で連結されるヒンジボス２６を備えた一対のガイド体１１は、同じ構造のガイド体１１を上下に反転した対称構造の部品で構成する（図４参照）。
【００１７】
第２発明に係る指挟み防止装置は、ヒンジで折りたたみ開閉自在に連結してある戸パネルに適用する。指挟み防止装置は、隣接する各戸パネルＰ１・Ｐ２に固定される浮動ベース６０と、戸パネルＰ１・Ｐ２の隣接隙間Ｓを外面から覆う保護カバー６１と、両ベース６０に対応して保護カバー６１に固定されるガイド板６２と、両浮動ベース６０とガイド板６２とを連結する浮動軸体６３とを備えている。戸パネルＰ１・Ｐ２が全閉位置と全開位置との間で折りたたみ開閉されるとき、浮動軸体６３を相対移動可能に案内する浮動穴７３をガイド板６２に形成する。戸パネルＰ１・Ｐ２が開閉するときの、ガイド板６２に対する浮動軸体６３の位置変化を浮動穴７３で吸収する。
【００１８】
浮動穴７３は、主としてヒンジ軸５８と浮動軸体６３との左右方向の相対的な位置変化を吸収する直線状の第１穴７５と、主としてヒンジ軸５８と浮動軸体６３の前後および斜め方向の相対的な位置変化を吸収する台形状の第２穴７６とで構成する。
【００１９】
保護カバー６１の内面に保護カバー６１の遊動を規制する遊動規制体７１を設ける。
【発明の効果】
【００２０】
本発明においては、ガイド体１１と、隣接隙間Ｓを覆う保護カバー１２と、保護カバー１２に固定されるガイド板１３と、ガイド板１３に組み付けられる浮動軸体１４などで指挟み防止装置を構成した。また、ガイド体１１に設けた浮動溝２８と、ガイド板１３に設けた逃げ溝３９とで、浮動軸体１４を相対移動可能に案内して、戸パネルＰ１・Ｐ２が開閉するときの前記三者１１・１３・１４の相対的な位置変化を、浮動溝２８と逃げ溝３９とが共同して吸収することにより、戸パネルＰ１・Ｐ２の隣接隙間Ｓを保護カバー１２で常に覆うようにした。
【００２１】
上記のように、本発明の指挟み防止装置によれば、戸パネルＰ１・Ｐ２の隣接隙間Ｓを保護カバー１２で常に覆うことができるので、戸パネルＰ１・Ｐ２を開閉するときの指挟みを防止できるのはもちろん、隣接隙間Ｓから光が漏れるのを防止できる。また、本発明の指挟み防止装置は、単軸ヒンジ構造のヒンジで折りたたみ開閉自在に連結してある戸パネルＰ１・Ｐ２に適用するので、ヒンジが確動型の２軸ヒンジ構造として構成される従来の指挟み防止装置に比べてギヤなどの連動構造を省略できる。したがって、この種の従来装置に比べて指挟み防止装置を簡素化して、動作の信頼性の向上と、製造に要するコストの削減とを同時に実現できる。戸パネルＰ１・Ｐ２を、単軸ヒンジ構造のヒンジで折りたたみ開閉自在に連結するので、開閉時に戸パネルＰ１・Ｐ２がぎくしゃくすることもない。
【００２２】
隣接するガイド体１１のそれぞれにヒンジボス２６を設けて、ガイド体１１がヒンジを兼ねるようにした指挟み防止構造によれば、ヒンジ構造を含む指挟み防止構造をさらに簡素化して、折りたたみ開閉される戸パネルＰ１・Ｐ２の全体コストをさらに削減できる。また、ヒンジ構造をガイド体１１と一体化することにより、ガイド体１１およびヒンジ軸３２と保護カバー１２との位置関係を正確に位置決めできるので、施工に要する手間を大幅に軽減できる。さらに、両パネルＰ１・Ｐ２を開閉するときの浮動溝２８および逃げ溝３９と浮動軸体１４の相対動作を円滑に行なえる。
【００２３】
垂直平面Ｖに臨むガイド体１１の隣接辺部の前後の隅部に、ヒンジボス２６および逃げ面２７を設け、浮動溝２８を逃げ面２７に沿って部分円弧状に形成すると、浮動溝２８と浮動軸体１４との相対動作をさらに円滑に行なえる。また、両パネルＰ１・Ｐ２を開閉する際に、浮動軸体１４が浮動溝２８に沿って不必要に移動しようとするのをよく防止して、保護カバー１２がぎくしゃくするのを防止できる。
【００２４】
ガイド板１３に設けられる逃げ溝３９を、浮動溝２８と常に交差する状態でハ字状に形成する指挟み防止構造によれば、浮動軸体１４が浮動溝２８および逃げ溝３９に沿って移動しようとするのを、逃げ溝３９および浮動溝２８で互いに規制することができる。したがって、浮動軸体１４が両溝２８・３９に対して２方向へ移動可能な自由度を備えているにもかかわらず、浮動軸体１４の不必要な遊動を規制して、保護カバー１２をガイド体１１に対して、一定の距離を保持しながら的確に相対変位させることができる。
【００２５】
保護カバー１２の内面に隙間Ｅを塞ぐシール体３６を設けると、例えば図８（ａ）に示すように、逃げ溝３９と浮動溝２８とが大きく重なるような状態では、浮動軸体１４が遊動しやすいが、こうした場合であっても、シール体３６がガイド体１１の周面に外接して保護カバー１２が遊動するのを規制できる。因みに、図８（ｂ）および図８（ｃ）に示すように、逃げ溝３９と浮動溝２８とが大きく交差する状態では、浮動軸体１４が不必要に遊動するのを各溝２８・３９で規制できる。保護カバー１２とガイド体１１との間の隙間Ｅに、異物が入り込むのをよく防止できる利点もある。
【００２６】
戸パネルＰ１・Ｐ２の側端に化粧枠１０を固定し、その上下にガイド体１１を配置する指挟み防止装置によれば、隣接隙間Ｓに臨む上下方向の殆どの部分を、構造が簡単な化粧枠１０で占めることができる。換言すると、ガイド体１１以外の、外力が殆どかかることのない部分を構造が簡単な化粧枠１０で占めることができる。したがって、ガイド体１１が化粧枠１０を兼ねる場合に比べて、構造の無駄を省いて指挟み防止装置の全体コストを削減し、軽量化できる。また、ガイド体１１を戸パネルＰ１・Ｐ２および化粧枠１０の両者に締結することにより、ガイド体１１を戸パネルＰ１・Ｐ２に対してより強固に固定することができる。
【００２７】
ヒンジボス２６を備えた一対のガイド体１１を、同じ構造のガイド体１１を上下に反転した対称構造の部品で構成すると、指挟み防止構造の構成部品として１種類のガイド体１１を用意するだけでよく、その分だけ指挟み防止構造を低コスト化できる。
【００２８】
第２発明においては、浮動ベース６０と、保護カバー６１と、ガイド板６２と、浮動ベース６０とガイド板６２とを連結する浮動軸体６３などで指挟み防止装置を構成し、戸パネルＰ１・Ｐ２が開閉するときの浮動軸体６３の位置変化を、ガイド板６２に設けた浮動穴７３で吸収するようにした。このように、第２発明に係る指挟み防止装置においては、戸パネルＰ１・Ｐ２が開閉するときの浮動軸体６３の位置変化を浮動穴７３で吸収して、戸パネルＰ１・Ｐ２の隣接隙間Ｓを保護カバー６１で常に覆うようにするので、隣接隙間Ｓを覆うときの保護カバー６１の姿勢をほぼ一定にできる。また、２軸ヒンジ構造の指挟み装置に比べて、指挟み防止装置の全体構造を簡素化して安価に提供できる。さらに、指挟み防止装置はヒンジとは独立した状態で戸パネルに組み付けるので、既存の親子ドアや折戸にも容易に追加して装備できる。加えて、戸パネルＰ１・Ｐ２に加工を施す必要もなく各部材を単に組み付けるだけで指挟み防止装置を付加できるので、施工に要する手間を軽減できる。
【００２９】
直線状の第１穴７５と台形状の第２穴７６とで浮動穴７３を構成すると、浮動穴７３と浮動軸体６３とが不用意に相対遊動するのを極力避けながら、浮動穴７３と浮動軸体６３との相対移動を円滑に行なえる。さらに、保護カバー６１の内面に遊動規制体７１が設けてあると、浮動穴７３と浮動軸体６３とが相対遊動しやすい位置関係にある場合であっても、保護カバー６１が遊動するのを遊動規制体７１で確実に規制できる。
【図面の簡単な説明】
【００３０】
【図１】本発明に係る指挟み防止装置の分解斜視図である。
【図２】親子ドアの正面図である。
【図３】指挟み防止装置の一部破断平面図である。
【図４】ガイド体の分解斜視図である。
【図５】戸パネルを折りたたんだ状態の指挟み防止装置の一部破断正面図である。
【図６】図３におけるＡ−Ａ線断面図である。
【図７】図５におけるＢ−Ｂ線断面図である。
【図８】指挟み防止装置の動作説明図である。
【図９】第２発明に係る指挟み防止装置の分解斜視図である。
【図１０】折戸の正面図である。
【図１１】浮動ベースおよびガイド板の分解斜視図である。
【図１２】戸パネルを折りたたんだ状態の指挟み防止装置の一部破断正面図である。
【図１３】図１２におけるＣ−Ｃ線断面図である。
【図１４】図１３におけるＤ−Ｄ線断面図である。
【図１５】指挟み防止装置の動作説明図である。
【発明を実施するための形態】
【００３１】
（実施例）  図１ないし図８は本発明に係る指挟み防止装置を親子ドアに適用した実施例を示す。以下の実施例における前後、左右、上下とは、図２および図３に示す交差矢印と、各矢印の先端近傍に表示した前後、左右、上下の文字表記に従うこととする。図２および図３において親子ドアは、左右幅が大きな親パネル（戸パネル）Ｐ１と、左右幅が親パネルＰ１の概ね半分に設定された子パネル（戸パネル）Ｐ２とで構成してある。親パネルＰ１と子パネルＰ２とは単軸ヒンジ構造のヒンジで連結するが、後述するようにヒンジ機能は指挟み防止装置が兼ねる。子パネルＰ２の基端の上下をピボット軸１で回動自在に支持し、さらに親パネルＰ１の幅方向中途部に設けたランナー２を、開口枠３に設けたガイドレール４で移行案内することにより、両パネルＰ１・Ｐ２を折りたたみ開閉できるようにしてある。符号５は親パネルＰ１に設けたドアハンドルである。
【００３２】
上記のように構成した親子ドアは、図３に想像線で示すように両パネルＰ１・Ｐ２を面一状に展開して開口枠３を閉じた位置（閉じ位置）と、図３に実線で示すように両パネルＰ１・Ｐ２をガイドレール４と直交する状態まで折りたたんで開口枠３を全開放した位置（開放位置）との間を開閉できる。親子ドアの開閉時に、隣接する両パネルＰ１・Ｐ２の間の隣接隙間Ｓ（図８参照）に手指や衣服が挟み込まれるのを防ぐために指挟み防止装置を設けている。
【００３３】
図１および図３において指挟み防止装置は、隣接する各パネルＰ１・Ｐ２の側端に固定される化粧枠１０と、各化粧枠１０の上下に固定される４個のガイド体１１と、隣接隙間Ｓを外面から覆う保護カバー１２と、保護カバー１２の上下端に固定されるガイド板１３と、ガイド板１３に組み付けられる２個の浮動軸体１４などで構成する。
【００３４】
図４に示すように、化粧枠１０は、各パネルＰ１・Ｐ２の側端および側端の前後面を覆う断面コ字状の取付部１７と、取付部１７に連続する中空枠状のカバー部１８とを一体に備えた中空条材からなる。化粧枠１０の上下複数箇所には、ビス締結穴１９（図４参照）と、ビス挿通穴とが形成してあり、これらの穴１９から差し込んだビス２１を各パネルＰ１・Ｐ２にねじ込むことにより、化粧枠１０を各パネルＰ１・Ｐ２に固定している。化粧枠１０は、アルミニウム製の中空条材からなり、カバー部１８の内面には、ガイド体１１を締結するビス３０用の断面Ｃ字状のリブ２２が形成してある。化粧枠１０の断面外形形状は、後述するガイド体１１の断面外形形状に一致させてある。化粧枠１０の上下端に臨む各パネルＰ１・Ｐ２の側端には、ガイド体１１を締結するための締結座２３がＬ字状に切り欠いてある。
【００３５】
図４において、ガイド体１１は、直方体状のブロックのひとつの隅部にヒンジボス２６を突設し、ヒンジボス２６に臨む隅部周面に大きく丸められた逃げ面２７を設けた亜鉛ダイキャスト成形品からなり、その上下面は水平に形成してある。ガイド体１１には、後述する浮動軸体１４を相対移動可能に案内する浮動溝２８と、減肉溝２９とが上下貫通状に形成してあり、さらに、ガイド体１１を締結するビス３０用の３個のビス挿通穴３１が形成してある。３個のビス挿通穴３１のうち、２個のビス挿通穴３１は、締結座２３に接合される各パネルＰ１・Ｐ２の辺部１１ａに沿って配置され、残るビス挿通穴３１はヒンジボス２６の近傍に配置してある。浮動溝２８は、先の逃げ面２７に沿って部分円弧状に形成してある。
【００３６】
ヒンジボス２６が上下に重なる状態で、各パネルＰ１・Ｐ２の締結座２３にガイド体１１をあてがい、ビス挿通穴３１に挿通したビス３０を各締結座２３およびリブ２２にねじ込むことにより、ガイド体１１を各パネルＰ１・Ｐ２、および各化粧枠１０と一体化できる。この状態で、ヒンジボス２６のヒンジ穴にヒンジ軸３２を挿通して、その下端をかしめることにより、親パネルＰ１と子パネルＰ２とを折りたたみ自在に連結することができる。
【００３７】
上記のように、この実施例におけるガイド体１１は単軸構造のヒンジを兼ねており、両パネルＰ１・Ｐ２をガイド体１１のヒンジボス２６を介して連結した状態では、ガイド体１１の隣接辺部の前後に逃げ面２７とヒンジボス２６とが位置することになる。また、図１および図４に示すように、各パネルＰ１・Ｐ２に締結した４個のガイド体１１は、同じ構造のガイド体１１を上下に反転した対称構造の部品として構成してある。したがって、指挟み構造の構成部品の種類が多くなるのを解消して全体低コストを削減できる。
【００３８】
保護カバー１２は、外突湾曲状のアルミニウム製条材からなり、その内面の中央左右にビス４０用の断面Ｃ字状のリブ３５が形成され、両側端の内面に設けた平坦な装着面にモヘア状のシール体３６が固定してある。保護カバー１２をガイド体１１で支持するために、保護カバー１２の上下端のそれぞれにガイド板１３を固定し、上下のガイド板１３の対向面に浮動軸体１４を２個ずつ組み付けている。
【００３９】
ガイド板１３は、ひとつの辺部が保護カバー１２と同じ外突形状に形成してある概ね四角形状のステンレス板材製のプレス金具からなり、その板面には、浮動軸体１４を組むための左右一対の逃げ溝３９がハ字状に形成してある。また、外突状の辺部に沿ってビス４０用のビス挿通穴４１が形成してある。浮動軸体１４は、逃げ溝３９に座金４４を介して組み付けられて、同溝３９で相対移動可能に支持される軸本体４２と、軸本体４２で回転自在に支持されるガイドローラー４３とで構成する。
【００４０】
ガイドローラー４３が浮動溝２８に入り込む状態で、ガイド板１３をガイド体１１の上面（または下面）に接合し、ビス挿通穴４１に挿通したビス４０をリブ３５にねじ込むことにより、ガイド板１３を保護カバー１２と一体化できる。同時に、ガイド板１３をガイド体１１と相対浮動可能に連結できる。ガイドローラー４３は浮動溝２８に沿って相対的に転動できる。
【００４１】
上記のように、指挟み防止装置を各パネルＰ１・Ｐ２に組み付けた状態においては、隣接隙間Ｓの外面を保護カバー１２で覆って、手指や衣服が両パネルＰ１・Ｐ２の間に挟み込まれるのを確実に防止できる。図８（ｃ）に示すように、両パネルＰ１・Ｐ２を閉止した状態においては、ガイド体１１どうしがヒンジ中心を通る垂直平面Ｖを間にして隣接しており、垂直平面Ｖに臨むガイド体１１の隣接辺部の後側の隅部にヒンジボス２６が設けられ、隣接辺部の前側の隅部に逃げ面２７が形成されて、両逃げ面２７の間に銀杏葉状の隣接隙間Ｓが形成されている。この状態の保護カバー１２は、両ガイド体１１の外面を小さな隙間Ｅを介して覆っている。
【００４２】
次に、両パネルＰ１・Ｐ２が開閉するときの、浮動溝２８および逃げ溝３９と浮動軸体１４の相対的な動きを説明する。両パネルＰ１・Ｐ２を閉止した状態では、図８（ｃ）に示すように、各ガイド体１１に設けた浮動溝２８は背中合わせ状に隣接しており、ヒンジ中心から最も離れた浮動溝２８の前端にガイドローラー４３が位置している。また、軸本体４２は、各逃げ溝３９の垂直平面Ｖ側の端部寄りに位置している。
【００４３】
上記の状態から、両パネルＰ１・Ｐ２を開放操作すると、各ガイド体１１はヒンジ軸３２のまわりに揺動して互いに離れる向きに揺動するが、このときの浮動溝２８はガイドローラー４３に案内されて、溝前端が徐々にガイドローラー４３から離れる向きへ移動する。しかし、各ガイド体１１がヒンジ軸３２のまわりに揺動するときの軌跡と、浮動溝２８の溝形状とは一致しないので、軸本体４２は浮動溝２８に押され、同時に逃げ溝３９に案内されながら、同溝３９の垂直平面Ｖ側から遠い側の端部へ向かって移動する。その結果、保護カバー１２は、逃げ面２７との隙間Ｅをほぼ一定にした状態で、隣接隙間Ｓの外面を覆うことができる。
【００４４】
両パネルＰ１・Ｐ２を閉止した状態から４５度ずつ開放した状態では、図８（ｂ）に示すように、浮動軸体１４の中心はヒンジ中心から最も離れるので、軸本体４２は逃げ溝３９の垂直平面Ｖ側から遠い側の端部に位置している。また、ガイドローラー４３は浮動溝２８の湾曲中央部分に位置している。この状態から、両パネルＰ１・Ｐ２をさらに開放操作すると、閉止状態における浮動溝２８の溝後端が徐々にガイドローラー４３に接近する。また、浮動軸体１４の中心がヒンジ中心に徐々に接近するので、軸本体４２は逃げ溝３９の垂直平面Ｖ側の端部へ向かって移動する。そして、両パネルＰ１・Ｐ２を全開放した状態では、図８（ａ）に示すように、ガイドローラー４３は、閉止状態における浮動溝２８の後端に位置しており、軸本体４２は逃げ溝３９の垂直平面Ｖ側の端部に位置することになる。両パネルＰ１・Ｐ２を、全開放位置から閉じ位置へ閉じ操作する場合には、上記とは逆の相対的な動きとなる。
【００４５】
以上のように構成した指挟み防止装置によれば、両パネルＰ１・Ｐ２を開放操作するときの、ガイド体１１およびガイド板１３に対する浮動軸体１４の位置変化を浮動溝２８と逃げ溝３９とが共同して吸収して、保護カバー１２のガイド体１１に対する姿勢をほぼ一定に保持して隣接隙間Ｓを覆うことができる。また、逃げ溝３９を浮動溝２８と常に交差するように配置することにより、浮動溝２８と逃げ溝３９との浮動軸体１４に対する相対動作を円滑に行なうことができる。さらに、浮動軸体１４を軸本体４２とガイドローラー４３で構成して、浮動溝２８とガイドローラー４３との相対移動を円滑化している。なお、逃げ溝３９は保護カバー１２の湾曲中心と同心の部分円弧状に形成してある。
【００４６】
この実施例のガイド体１１は、ガイド体自体がヒンジを兼ねるので、別途ヒンジを設ける必要がなく、ヒンジを含む指挟み防止装置の構造を簡素化して、全体コストを削減できる。また、指挟み防止装置を両パネルＰ１・Ｐ２に組み付けた状態において、ガイド体１１およびヒンジ軸３２と保護カバー１２との位置関係を正確に位置決めできるので、両パネルＰ１・Ｐ２を開閉するときの浮動溝２８および逃げ溝３９と浮動軸体１４の相対動作を円滑に行なえる。
【００４７】
上記の実施例では、ガイド体１１とは別に化粧枠１０を設けたが、その必要はなく、ガイド体１１を上下に長いアルミニウム条材で形成して、ガイド体１１が化粧枠１０を兼ねることができる。また、上方のガイド体１１の下面と、下方のガイド体１１の上面とにガイド板１３を配置することができる。必要があれば、両パネルＰ１・Ｐ２の側端の上下方向３個所以上にガイド体１１を配置して、保護カバー１２の上下方向の３個所以上をガイド板１３と浮動軸体１４を介してガイド体１１で支持することができる。ガイド体１１は、ぶ厚いステンレス板材を素材とするプレス金具で構成することができる。
【００４８】
浮動溝２８および逃げ溝３９は、部分円弧状に形成する必要はなく、曲率が一定しない湾曲線状に形成することができる。ヒンジはガイド体１１とは別の部品として構成することができ、その場合には、独立して設けられた単軸ヒンジ構造のヒンジに適合して、ヒンジボス２６が省略された指挟み防止装置を用意するとよい。浮動軸体１４は、軸本体４２とガイドローラー４３で構成する必要はなく、ガイドローラー４３を省いて軸本体４２のみで構成することができる。逆に、逃げ溝３９で案内されるローラーを、先の実施例で説明した浮動軸体１４に付加することができる。化粧枠１０および保護カバー１２は、プラスチック製の条材や、金属板材、あるいは木材で形成することができる。
【００４９】
上記の指挟み構造は揺動ドアにも適用でき、その場合には、一方のガイド体１１を開口枠の上下に固定し、他方のガイド体１１を揺動ドアの吊元側の上下に固定するとよい。
【００５０】
図９ないし図１５は、第２発明に係る指挟み装置の実施例を示す。この指挟み装置は、主に既存の折戸や親子ドア等に適用することを前提としており、戸パネル側に加工を施す必要もなく容易に施工できることを企図したものである。図９ないし図１５に示す実施例における前後、左右、上下とは、図１０に示す交差矢印と、各矢印の先端近傍に表示した前後、左右、上下の文字表記に従うこととする。
【００５１】
図１０において折戸は、左右一対のパネル対で構成してあり、各パネル対は開口枠５１の上下に配置したガイドレール５２・５３で折りたたみ開閉自在に案内支持してある。各パネル対は２個の戸パネルＰ１・Ｐ２の隣接縁どうしを単軸ヒンジ構造のヒンジ５４で連結して構成してある。パネル対を全展開した状態において開口中央で隣接する戸パネルＰ２の屈折縁の近傍には、パネル対を開閉操作するハンドル５５が固定してある。ヒンジ５４の内部には、全展開状態と半展開状態を維持するクリック機構が組み込んである。各パネル対の両側端の上下には、ガイドレール５２・５３で移行案内されるランナーユニット５６と振れ止め具５７とが組み込んである。
【００５２】
上記のように構成した折戸は、両パネルＰ１・Ｐ２を面一状に展開して開口枠５１を閉じた位置（閉じ位置）と、図１０に向かって左半側に図示するように、両パネルＰ１・Ｐ２を折りたたんで開口枠５１を開放した位置（開放位置）とに開閉できる。また、半開状態、あるいは全開状態のパネル対をガイドレール５２・５３に沿って左右に開閉できる。折戸の開閉時に、隣接する両パネルＰ１・Ｐ２の間の前面側の隣接隙間Ｓ（図９参照）に手指や衣服が挟み込まれるのを防ぐために指挟み防止装置を設けている。ヒンジ５４のヒンジ軸５８は、隣接する両パネルＰ１・Ｐ２の間の後側に位置させてある。
【００５３】
図９において指挟み防止装置は、隣接する各戸パネルＰ１・Ｐ２に固定される浮動ベース６０と、戸パネルＰ１・Ｐ２の隣接隙間Ｓを外面から覆う保護カバー６１と、両ベース６０に対応して保護カバー６１に固定されるガイド板６２と、両浮動ベース６０とガイド板６２とを連結する浮動軸体６３などで構成する。
【００５４】
浮動ベース６０は、戸パネルＰ１・Ｐ２の上下の端壁に外接するベース壁６５と、戸パネルＰ１・Ｐ２にビス６７で締結される締結壁６６とを一体に備えたＬ字状のプレス金具からなり、ベース壁６５の面壁には浮動軸体６３を組むための連結穴６８が形成してある。図１４に示すように締結壁６６は、戸パネルＰ１・Ｐ２の隣接隙間Ｓ側の面壁（前面壁）の上下端に２個のビス６７で固定される。浮動ベース６０は右部品と左部品の２種類があり、戸パネルＰ１・Ｐ２の上端に固定する場合と、戸パネルＰ１・Ｐ２の下端に固定する場合とで、左右の両部品を上下に反転して固定する。
【００５５】
保護カバー６１は、外突湾曲状のアルミニウム製条材からなり、その内面の中央左右にビス７４用の断面Ｃ字状のリブ７０が形成され、両側端の内面にモヘア状の遊動規制体７１が固定してある。保護カバー６１を浮動ベース６０で支持するために、保護カバー６１の上下端のそれぞれにガイド板６２を固定し、上下のガイド板６２の対向面に浮動軸体６３を２個ずつ組み付けている。
【００５６】
ガイド板６２は、ひとつの辺部が保護カバー６１と同じ外突形状に形成してある概ね四角形状のステンレス板材製のプレス金具からなり、その板面には、浮動軸体６３を組むための左右一対の浮動穴７３が形成してある。また、外突状の湾曲辺部に沿ってビス７４用のビス挿通穴が形成してある。浮動穴７３は、主としてヒンジ軸５８と浮動軸体６３との左右方向の相対的な位置変化を吸収する第１穴７５と、主としてヒンジ軸５８と浮動軸体６３との前後および斜め方向の相対的な位置変化を吸収する台形状の第２穴７６とで構成する。第１穴７５は第２穴７６より左右幅が僅かに大きく設定してあり、ガイド板６２の中央寄りの穴端が第２穴７６の穴端からはみ出ている。
【００５７】
図１１に示すように、浮動軸体６３は軸部７８の上端にフランジ壁７９を張り出した軸体からなる。浮動軸体６３の軸部７８を浮動穴７３および連結穴６８に挿通した状態で、図１４に示すように軸部７８の端部をベース壁６５かしめ固定することにより、ガイド板６２は浮動ベース６０に対して相対移動可能に一体化される。この状態のガイド板６２に挿通したビス７４を保護カバー６１のリブ７０にねじ込むことにより、ガイド板６２を保護カバー６１と一体化できる。
【００５８】
上記のように、指挟み防止装置を戸パネルＰ１・Ｐ２に組み付けた状態においては、隣接隙間Ｓ、および締結壁６６の外面を保護カバー６１で覆って、手指や衣服が両パネルＰ１・Ｐ２の間に挟み込まれるのを確実に防止できる。図１５（ｃ）に示すように、両パネルＰ１・Ｐ２を閉止した状態においては、隣接隙間Ｓの前面が保護カバー６１で覆われている。この状態の保護カバー６１は、戸パネルＰ１・Ｐ２および浮動ベース６０に外接して弾性変形している遊動規制体７１の弾性で、戸パネルＰ１・Ｐ２から離れる向きに付勢されている。したがって、遊動規制体７１の弾性を越える外力が保護カバー６１に作用しない限りは、保護カバー６１が前後左右に遊動することはない。
【００５９】
次に、戸パネルＰ１・Ｐ２が開閉するときの、浮動穴７３と浮動軸体６３の相対的な動きを説明する。戸パネルＰ１・Ｐ２を閉止した状態では、図１５（ｃ）に示すように、浮動軸体６３の軸部７８は、浮動穴７３の第２穴７６の前縁部で、ガイド板６２の中央寄りの穴端に位置している。この状態から、戸パネルＰ１・Ｐ２を開放操作すると、各浮動ベース６０はヒンジ軸５８のまわりに揺動して互いに離れる向きに揺動し、浮動軸体６３が各浮動ベース６０に同行して揺動する。この揺動により、浮動軸体６３は浮動穴７３に対して、第２穴７６から第１穴７５の側へ相対的に移動する。
【００６０】
戸パネルＰ１・Ｐ２を閉止した状態から４５度ずつ開放した状態では、図１５（ｂ）に示すように、浮動軸体６３はヒンジ軸５８の中心から最も離れるので、軸部７８は第１穴７５のヒンジ軸５８から遠い側の端部に位置している。この状態から、両パネルＰ１・Ｐ２をさらに開放操作すると、左右の軸部７８は第１穴７５の後縁に沿って、互いに近づく向きに移動する。そして、戸パネルＰ１・Ｐ２を全開放した状態では、図１５（ａ）に示すように、軸部７８は第１穴７５の後縁部で、ガイド板６２の中央寄りのはみ出た穴端に位置する。両パネルＰ１・Ｐ２を、全開放位置から閉じ位置へ閉じ操作する場合には、上記とは逆の相対的な動きとなる。
【００６１】
以上のように構成した指挟み防止装置によれば、戸パネルＰ１・Ｐ２が開閉するときの、ガイド板６２に対する浮動軸体６３の位置変化を浮動穴７３で吸収して、戸パネルＰ１・Ｐ２の隣接隙間Ｓを保護カバー６１で常に覆うことができる。また、隣接隙間Ｓを覆うときの保護カバー６１の姿勢をほぼ一定にできる。また、浮動ベース６０、保護カバー６１、ガイド板６２、および浮動軸体６３で指挟み防止装置を構成するので、指挟み防止装置の全体構造を簡素化して安価に提供できる。また、指挟み防止装置はヒンジとは独立した状態で戸パネルに組み付けるので、既存の折戸にも追加して装備できる。さらに、戸パネルＰ１・Ｐ２をガイドレール５２・５３から分離する必要がなく、しかも戸パネルＰ１・Ｐ２に加工を施す必要もなく各部材を単に組み付けるだけで指挟み防止装置を付加できるので、施工に要する手間を軽減できる。
【００６２】
上記の実施例以外に、保護カバー６１はプラスチック製の条材で形成することができる。締結壁６６はベース壁６５と面一状に設けることができる。必要があれば、前後一対の締結壁６６とベース壁６５とで、浮動ベース６０を門形に形成することができる。
【符号の説明】
【００６３】
１０  化粧枠
１１  ガイド体
１２  保護カバー
１３  ガイド板
１４  浮動軸体
２６  ヒンジボス
２７  逃げ面
３２  ヒンジ軸
３９  逃げ溝
Ｐ１  戸パネル（親パネル）
Ｐ２  戸パネル（子パネル）
Ｓ  隣接隙間
【図１】
0005604133.tif 000002
【図２】
0005604133.tif 000003
【図３】
0005604133.tif 000004
【図４】
0005604133.tif 000005
【図５】
0005604133.tif 000006
【図６】
0005604133.tif 000007
【図７】
0005604133.tif 000008
【図８】
0005604133.tif 000009
【図９】
0005604133.tif 000010
【図１０】
0005604133.tif 000011
【図１１】
0005604133.tif 000012
【図１２】
0005604133.tif 000013
【図１３】
0005604133.tif 000014
【図１４】
0005604133.tif 000015
【図１５】
0005604133.tif 000016